(57)【要約】  イオントフォレーシスにより薬物イオンを投与するために使用される作用側電極構造体２０及び非作用側電極構造体４０と、これらの作用側電極構造体及び非作用電極構造体に異なる極性で接続される直流電源１２と、を有し、前記作用側電極構造体は、前記直流電源における、前記薬物イオンと同種の極性に接続された作用側電極２２と、この作用側電極に電気的に接続され、前記薬物イオンとなる薬物を保持する薬液保持部２８、３２と、を少なくとも有してなり、前記非作用側電極構造体は、前記直流電源における、前記薬物イオンと反対の極性に接続された非作用側電極と、この非作用側電極に電気的に接続され、電解液を保持する電解液保持部と、を少なくとも有してなり、前記作用側電極及び非作用側電極の少なくともいずれか一方が、繊維状又は網状の金属及びその塩化物の一方を含む。これにより、イオントフォレーシス装置を長時間使用可能とする。
2007111368.tif 000002
【特許請求の範囲】
【請求項１】
イオントフォレーシスにより薬物イオンを投与するために使用される作用側電極構造体及び非作用側電極構造体と、これらの作用側電極構造体及び非作用電極構造体に異なる極性で接続される直流電源と、を有し、
前記作用側電極構造体は、前記直流電源における、前記薬物イオンと同種の極性に接続された作用側電極と、この作用側電極に電気的に接続され、前記薬物イオンとなる薬物を保持する薬液保持部と、を少なくとも有してなり、
前記非作用側電極構造体は、前記直流電源における、前記薬物イオンと反対の極性に接続された非作用側電極と、この非作用側電極に電気的に接続され、電解液を保持する電解液保持部と、を少なくとも有してなり、
前記作用側電極及び非作用側電極の少なくともいずれか一方が、繊維状の金属及びその塩化物の一方を含むことを特徴とするイオントフォレーシス装置。
【請求項２】
前記繊維状の金属及びその塩化物の少なくとも一方が、繊維状担体と、これを被覆している金属及びその塩化物の一方であることを特徴とする請求項１に記載のイオントフォレーシス装置。
【請求項３】
前記繊維状の金属及びその塩化物の少なくとも一方が、繊維状担体と、これに付着された金属およびその塩化物の一方のナノ粒子であることを特徴とする請求項１に記載のイオントフォレーシス装置。
【請求項４】
前記繊維状の金属及びその塩化物の少なくとも一方が、シート状担体及びバルク状担体の一方と組み合わされていることを特徴とする請求項１に記載のイオントフォレーシス装置。
【請求項５】
前記繊維状の金属及びその塩化物の一少なくとも方が、シート状担体及びバルク状担体の一方と、これに組み合わされた繊維状担体と、これらに付着された金属及びその塩化物の一方のナノ粒子であることを特徴とする請求項１に記載のイオントフォレーシス装置。
【請求項６】
イオントフォレーシスにより薬物イオンを投与するために使用される作用側電極構造体及び非作用側電極構造体と、これらの作用側電極構造体及び非作用電極構造体に異なる極性で接続される直流電源と、を有し、
前記作用側電極構造体は、前記直流電源における、前記薬物イオント同種の極性に接続された作用側電極と、この作用側電極に電気的に接続され、前記薬物イオントなる薬物を保持する薬液保持部と、を少なくとも有してなり、
前記非作用側電極構造体は、前記直流電源における、前記薬物イオンと反対の極性に接続された非作用側電極と、この非作用側電極に電気的に接続され、電解液を保持する電解液保持部と、を少なくとも有してなり、
前記作用側電極及び非作用側電極の少なくともいずれか一方が、網状の金属及びその塩化物の一方を含むことを特徴とするイオントフォレーシス装置。
【請求項７】
前記網状の金属及びその塩化物の少なくとも一方が、網状担体と、これに被覆された金属及びその塩化物の一方であることを特徴とする請求項６に記載のイオントフォレーシス装置。
【請求項８】
前記網状の金属及びその塩化物の少なくとも一方が、網状担体と、これに付着された金属及びその塩化物の一方のナノ粒子であることを特徴とする請求項６に記載のイオントフォレーシス装置。
【請求項９】
前記網状の金属及びその塩化物の少なくとも一方が、シート状担体及びバルク状担体の一方と組み合わされていることを特徴とする請求項６に記載のイオントフォレーシス装置。
【請求項１０】
前記網状の金属及びその塩化物の少なくとも一方が、シート状担体及びバルク状担体の一方と、これに組み合わされた網状担体と、これらに付着された金属及び塩化物の一方のナノ粒子であることを特徴とする請求項６に記載のイオントフォレーシス装置。
【請求項１１】
イオントフォレーシスにより薬物イオンを投与するために使用される作用側電極構造体及び非作用側電極構造体と、これらの作用側電極構造体及び非作用電極構造体に異なる極性で接続される直流電源と、を有し、
前記作用側電極構造体は、前記直流電源における、前記薬物イオンと同種の極性に接続された作用側電極と、この作用側電極に電気的に接続され、前記薬物イオンとなる薬物を保持する薬液保持部と、を少なくとも有してなり、
前記非作用側電極構造体は、前記直流電源における、前記薬物イオンと反対の極性に接続された非作用側電極と、この非作用側電極に電気的に接続され、電解液を保持する電解液保持部と、を少なくとも有してなり、
前記作用側電極及び非作用側電極の少なくともいずれか一方が、シート状担体及びバルク状担体の一方と、これに付着された金属及びその塩化物の一方のナノ粒子と、を含むことを特徴とするイオントフォレーシス装置。
【発明の詳細な説明】
【技術分野】
【０００１】
本発明は、薬物イオンを、電圧を印加することによって生体に投与するためのイオントフォレーシス装置に係り、特に、長時間使用可能なイオントフォレーシス装置に関する。
【背景技術】
【０００２】
薬物イオンを、電圧を印加することによって生体に投与するためのイオントフォレーシス装置としては、ＷＯ０３０３７４２５号公報（以下、特許文献１）に記載されるように、作用側電極構造体及び非作用側電極構造体を有し、作用側電極構造体のイオン交換膜から薬液イオンを、皮膚や粘膜に投与させるものがある。【０００３】
この特許文献１に記載されるイオントフォレーシス装置における作用側電極構造体は、皮膚や粘膜との接触側から、第１イオン交換膜、薬液保持部、第２イオン交換膜、第１電解液保持部、作用側電極の順で積層して構成されている。【０００４】
又、非作用側電極構造体は、皮膚や粘膜との接触側から、第４イオン交換膜、第３電解液保持部、第３イオン交換膜、第２電解液保持部及び非作用側電極をこの順で積層して構成されている。【０００５】
この特許文献１に記載されるイオントフォレーシス装置では、薬液保持部の薬液と電解液とが、第２イオン交換膜によって区画されているため、電解液の組成を薬物と独立に選択することが可能である。【０００６】
従って、通電により塩素イオンを発生しない電解液を使用することが可能であり、電解液中の電解質として、水の電気分解よりも酸化又は還元電位の低いものを選択することによって、水の電気分解に起因する酸素ガスや水素ガス、水素イオンや水酸基イオンの精製を抑制することが可能である。あるいは、複数種類の電解質を溶解させた緩衝電解液を使用することによって、水素イオンや水酸基イオンの精製によるｐＨ変化を抑制することもできる。更に、このイオントフォレーシス装置では、薬物イオンの電解液保持部への移行が、第２イオン交換膜により遮断されるために、通電時の化学反応によって薬物が変質する問題が解決される。【０００７】
一方、例えば糖尿病患者のためのインシュリン投与のようには、少しずつ長時間なされることが要請されている。これに対して、電極液を使用しているイオントフォレーシス装置では、電極液の量や濃度で通電時間を延長することが考えられる。一方、薬物に塩素が入っていて銀電極の場合等は、電極液は不要で金属板が用いられており、通電時間の長さは電極の表面積が左右するが、特に通電時間を長くする工夫はなされていなかった。
【発明の開示】
【０００８】
この発明は、特殊な電極を用いることにより、長時間使用可能としたイオントフォレーシス装置を提供とすることを課題とする。
【０００９】
本発明は、イオントフォレーシスにより薬物イオンを投与するために使用される作用側電極構造体及び非作用側電極構造体と、これらの作用側電極構造体及び非作用電極構造体に異なる極性で接続される直流電源と、を有し、前記作用側電極構造体は、前記直流電源における、前記薬物イオンと同種の極性に接続された作用側電極と、この作用側電極に電気的に接続され、前記薬物イオンとなる薬物を保持する薬液保持部と、を少なくとも有してなり、前記非作用側電極構造体は、前記直流電源における、前記薬物イオンと反対の極性に接続された非作用側電極と、この非作用側電極に電気的に接続され、電解液を保持する電解液保持部と、を少なくとも有してなり、前記作用側電極及び非作用側電極の少なくともいずれか一方が、繊維状の金属及びその塩化物の一方を含むことを特徴とするイオントフォレーシス装置により、前記課題を解決したものである。
【００１０】
又、前記繊維状の金属及びその塩化物の少なくとも一方を、繊維状担体と、これを被覆している金属及びその塩化物の一方としたものである。
【００１１】
又、前記繊維状の金属及びその塩化物の少なくとも一方を、繊維状担体と、これに付着された金属およびその塩化物の一方のナノ粒子としたものである。
【００１２】
又、前記繊維状の金属及びその塩化物の少なくとも一方を、シート状担体及びバルク状担体の一方と組み合わせたものである。
【００１３】
又、前記繊維状の金属及びその塩化物の少なくとも一方を、シート状担体及びバルク状担体の一方と、これに組み合わされた繊維状担体と、これらに付着された金属及びその塩化物の一方のナノ粒子としたものである。
【００１４】
本発明は、又、前記作用側電極及び非作用側電極の少なくともいずれか一方が、網状の金属及びその塩化物の一方を含むことを特徴とするイオントフォレーシス装置により、同じく前記課題を解決したものである。
【００１５】
又、前記網状の金属及びその塩化物の少なくとも一方を、網状担体と、これに被覆された金属及びその塩化物の一方としたものである。
【００１６】
又、前記網状の金属及びその塩化物の少なくとも一方を、網状担体と、これに付着された金属及びその塩化物の一方のナノ粒子としたものである。
【００１７】
又、前記網状の金属及びその塩化物の少なくとも一方を、シート状担体及びバルク状担体の一方と組み合わせたものである。
【００１８】
又、前記網状の金属及びその塩化物の少なくとも一方を、シート状担体及びバルク状担体の一方と、これに組み合わされた網状担体と、これらに付着された金属及び塩化物の一方のナノ粒子としたものである。
【００１９】
本発明は、又、前記作用側電極及び非作用側電極の少なくともいずれか一方が、シート状担体及びバルク状担体の一方と、これに付着された金属及びその塩化物の一方のナノ粒子と、を含むことを特徴とするイオントフォレーシス装置により、同じく前記課題を解決したものである。
【００２０】
本発明によれば、電極の表面積を大として、長時間使用することが可能となる。
【図面の簡単な説明】
【００２１】
【図１】本発明の実施の形態に係るイオントフォレーシス装置を示す分解斜視図
【図２】同イオントフォレーシス装置における作用側電極及び非作用側電極部分を拡大して示す平面図
【図３】図２のIII−III線に沿う拡大断面図
【図４】同イオントフォレーシス装置を示す分解断面図
【図５】同イオントフォレーシス装置の組立状態を示す断面図
【図６】本発明の第１実施形態で用いられている電極の構成を示す斜視図
【図７】本発明の第２実施形態で用いられる電極の構成を示す斜視図
【図８】本発明の第３実施形態で用いられる電極の構成を示す斜視図
【図９】本発明の第４実施形態で用いられる電極の構成を示す斜視図
【図１０】本発明の第５実施形態で用いられる電極の構成を示す斜視図
【図１１】本発明の第６実施形態で用いられる電極の構成を示す斜視図
【図１２】本発明の第７実施形態で用いられる電極の構成を示す斜視図
【図１３】本発明の第８実施形態で用いられる電極の構成を示す斜視図
【発明を実施するための最良の形態】
【００２２】
次に、図１〜図４を参照して、本発明の実施の形態の例に係るイオントフォレーシス装置１０について詳細に説明する。【００２３】
このイオントフォレーシス装置１０は、直流電源１２と、この直流電源１２の陽極及び陰極の一方に接続された作用側電極構造体２０及び他方に接続された非作用側電極構造体４０とから構成され、作用側電極構造体２０に保持される薬物イオンを、直流電源１２からの電圧によって生体に投与するものである。【００２４】
このイオントフォレーシス装置１０において、作用側電極構造体２０及び非作用側電極構造体４０は、薬液保持部等の構成部材を、重ね合わせた、いずれも樹脂シートからなる基端支持体１４と中間支持体１６との間に挟持し、あるいは中間支持体１６及び先端支持体部１８に形成される貫通孔に収納して構成されている。基端支持体１４と中間支持体１６とは同一の大きさとされ、又、先端支持体１８はこれらより大きく形成されている。【００２５】
基端支持体１４、中間支持体１６及び先端支持体１８は、いずれも図４において下側面に粘着層１４Ａ、１６Ａ、１８Ａが設けられていて、相互に粘着されるとともに、先端支持体１８の粘着層１８Ａは、皮膚又は粘膜に粘着するようにされている。【００２６】
ここで、中間支持体１６は、作用側電極構造体２０の一部、及び、非作用側電極構造体４０の一部を構成する一枚のシート状部材とされている。【００２７】
同様に、先端支持体１８は、作用側電極構造体２０の一部、及び、非作用側電極構造体４０の一部を構成する一枚のシート状部材とされている。【００２８】
作用側電極構造体２０は、直流電源１２における薬物イオンと同種の極性の、陽極又は陰極に接続された作用側電極２４と、この作用側電極２４の前面に配置されたセパレータ２６と、このセパレータ２６の前面に配置され、薬物イオンと反対符号のイオンを選択的に通過させる第２イオン選択性膜２８と、この第２イオン選択性膜２８の前面に配置され、薬物イオンとなる薬物を保持する薬液保持部３０と、薬液保持部３０の前面に配置され、薬物イオンと同種のイオンを選択的に通過させる第１イオン選択性膜３２と、この第１イオン選択性膜３２の前面に、薬物と同一の薬物を含む粘性液体を塗布して形成された作用側生体接触部３４とを、この順で積層して構成されている。【００２９】
作用側電極２４は、直流電源１２に接続され、且つ、樹脂シート３６の前面に印刷により形成された炭素印刷電極からなる作用側集電体２４Ａと、この作用側集電体２４Ａの前面に電気的に接続して配置された作用側分極性電極２４Ｂとから構成されている。【００３０】
なお、「電気的に接続」とは、直接接続している場合のみでなく、導電体、例えば導電性接着剤等を介して接続する場合も含むものである（以下同じ）。【００３１】
中間支持体１６は、作用側分極性電極２４Ｂとほぼ等しい厚さの樹脂材料からなり、且つ、この作用側分極性電極２４Ｂの平面形状における外形とほぼ同一形状の作用側中間貫通孔２１Ａを有し、作用側分極性電極２４Ｂは、作用側中間貫通孔２１Ａ内に収納されている。【００３２】
又、先端支持体１８は、薬液保持部３０とほぼ等しい厚さの樹脂材料からなり、作用側分極性電極２４Ｂの平面形状における外形とほぼ同一形状の作用側先端貫通孔２２Ａを有し、この作用側先端貫通孔２２Ａ内に、薬液保持部３０が収納されている。【００３３】
非作用側電極構造体４０は、基端支持体１４側から、直流電源１２における、薬物イオンと反対の極性の、陽極又は陰極に接続された非作用側電極４４と、この非作用側電極４４の前面に配置され、電解液を保持するセパレータ４６と、同様の電解液を保持する電解液保持部４８と、薬物イオンと反対符号のイオンを選択的に通過させる第３イオン選択性膜５０と、電解液保持部４８に保持されている電解液と同一の電解液を含む粘性液体を塗布して形成された非作用側生体接触部５２とを、この順で積層して構成されている。【００３４】
非作用側電極４４は、樹脂シート３６の前面に、作用側電極２４の作用側集電体２４Ａと離間して印刷された炭素印刷電極からなる非作用側集電体４４Ａと、この非作用側集電体４４Ａに接触して設けられた非作用側分極性電極４４Ｂとから構成されている。【００３５】
非作用側分極性電極４４Ｂは、中間支持体１６と等しい厚さとされ、これに形成された非作用側中間貫通孔４１Ａに収納されている。又、電解液保持部４８は、先端支持体１８と等しい厚さとされ、先端支持体１８に形成された非作用側先端貫通孔４２Ａに収納されている。【００３６】
この実施例において、貫通孔２２Ａ、２１Ａ、４１Ａ、４２Ａはいずれも円形とされ、更に、作用側電極２４、セパレータ２６、第２イオン選択性膜２８、薬液保持部３０、第１イオン選択性膜３２及び作用側生体接触部３４も、円形膜状あるいはシート状とされている。【００３７】
同様に、非作用側電極４４、セパレータ４６、電解液保持部４８、第３イオン選択性膜５０及び非作用側生体接触部５２も、円形の膜あるいはシート状とされている。【００３８】
作用側電極２４における作用側集電体２４Ａ及び非作用側電極４４における非作用側集電体４４Ａには、図２、図３に拡大して示されるように、樹脂シート３６に、印刷により設けられた金属膜からなる作用側導線１９Ａ及び非作用側導線１９Ｂがそれぞれ接続されている。【００３９】
これらの作用側導線１９Ａ及び非作用側導線１９Ｂは、その先端においてコネクタ１９Ｃを介して直流電源１２に接続されている。又、作用側導線１９Ａ及び非作用側導線１９Ｂの樹脂シート３６と反対側面には、例えばポリイミドフィルムからなる絶縁フィルム１９Ｄが粘着されている。この絶縁フィルム１９Ｄは、作用側導線１９Ａ及び非作用側導線１９Ｂの、樹脂シート３６と接触する範囲及び樹脂シート３６からの突出部分の一定範囲を覆う長さとされている。【００４０】
又、作用側導線１９Ａ及び非作用側導線１９Ｂの、作用側集電体２４Ａ及び非作用側集電体４４Ａのそれぞれの接続部は、図３に拡大して示されるように、炭素印刷電極である作用側及び非作用側集電体２４Ａ、４４Ａとテーパ面２５及び４５において接触して、接続されている。【００４１】
この実施形態においては、図１、図４に示されるように、円形の各部材を作用側電極構造体２０と非作用側電極構造体４０のそれぞれにおいて厚さ方向に重ねて配置し、図５に示されるように一体的にして、イオントフォレーシス装置１０が構成されている。【００４２】
ここで、中間支持体１６の作用側及び非作用側中間貫通孔２１Ａ、４１Ａには、それぞれ作用側分極性電極２４Ｂ及び非作用側分極性電極４４Ｂが収納された状態で、その上下から他の部材によって挟み込まれ、同様に、先端支持体１８における作用側及び非作用側先端貫通孔２２Ａ、４２Ａにも、薬液保持部３０及び電解液保持部４８がそれぞれ収納された状態で、その上下から他の部材によって挟み込まれ、更に、基端支持体１４と中間支持体１６との間及び中間支持体１６と先端支持体１８との間の部材がそれぞれこれらによって挟み込まれて位置決め固定されるようになっている。【００４３】
作用側電極２４及び非作用側電極４４における作用側集電体２４Ａ及び非作用側集電体４４Ａの外径は、作用側及び非作用側中間貫通孔２１Ａ、４１Ａの直径よりもやや大きく、作用側分極性電極２４Ｂ及び非作用側分極性電極４４Ｂにそれぞれ圧接できるようにされている。【００４４】
図４の符号５６は接着剤を示し、この接着剤５６は、絶縁フィルム１９Ｄにおける作用側及び非作用側集電体２４Ａ、４４Ａの間の中間部分を横断して配置され、中間支持体１６の後側面に接着し、絶縁フィルム１９Ｄと中間支持体１６との間の前面を作用側と非作用側とに隔絶させるものである。【００４５】
又、図１の符号５８は作用側生体接触部３４及び非作用側生体接触部５２を覆って先端支持体１８の前面に剥離可能に取り付けられたリリースライナーを示す。【００４６】
次に、上記各構成要素の材料、成分等について説明する。【００４７】
この実施形態において、薬液保持部３０は、ＰＰ（ポリプロピレン）不織布に薬物を含む粘性液体を含浸させて構成されている。又、薬液保持部３０に含浸された薬物は、水等の溶媒に溶解するなどにより薬効成分が陽又は陰のイオン（薬物イオンに解離する薬剤（薬剤の前駆体を含む））を含有し、薬効成分が陽のイオンに解離する薬剤としては、麻酔薬である塩酸リドカイン、麻酔薬である塩酸モルヒネ等を例示することができ、薬効成分がマイナスのイオンに解離する薬剤としては、ビタミン剤であるアスコルビン酸等を例示することができる。【００４８】
又、上記の他に、ホルモン、ＤＮＡ、ＲＮＡ、蛋白質、アミノ酸、ミネラル類も含むものとする。【００４９】
非作用側電極構造体４０におけるセパレータ４６は、ＰＰ不織布に電解液（詳細後述）を含む粘性液体を含浸させたものである。又、電解液保持部４８も、ＰＰ不織布に同様の電解液を含む粘性液体を含浸させたものである。【００５０】
セパレータ４６及び電解液保持部４８に用いられる電解液は電解質を主成分とし、この電解質は、水の電解反応（陽極での酸化及び陰極での還元）よりも酸化又は還元され易い電解質、例えば、ＮａＣｌ、アスコルビン酸（ビタミンＣ）やアスコルビン酸ナトリウム等の医薬剤、乳酸、シュウ酸、リンゴ酸、コハク酸、フマル酸等の有機酸及び／又はその塩を使用することが特に好ましく、これにより酸素ガスや水素ガスの発生を抑制することが可能であり、又、溶媒に溶解した際に緩衝電解液となる組合せの複数種の電解質を配合することにより、通電中におけるｐＨの変動を抑制することができる。【００５１】
上記のような薬物あるいは電解液を含む粘性液体は、例えば水（イオン交換水）に、ＨＰＣ（ヒドロキシプロピルセルロース）（例えば日本曹達のＨ−Ｔｙｐｅ）、あるいは、水に溶けないセルロースを化学的に処理して水溶性の高分子としたメトローズ（例えば信越化学工業の９０ＳＨ−１００００ＳＲ）等の粘着性材料を２質量％以上混合して製造することができる。【００５２】
作用側電極２４における作用側分極性電極２４Ｂ及び非作用側電極４４における非作用側分極性電極４４Ｂは、本発明の第１実施形態により、図６（Ａ）に示す如く、例えば直径数百ｎｍの極細繊維７０状の銀、又は、塩化銀で構成されている。従って、電極の表面積が大きくなり、長時間使用可能となる。【００５３】
本実施形態においては、極細繊維自体を銀、又は、塩化銀で構成したので、耐久性が高い。【００５４】
作用側分極性電極２４Ｂには、薬液保持部３０に保持されている薬物と同一の薬物を含む粘性液体が含浸され、又、非作用側分極性電極４４Ｂには、セパレータ４６に保持される電解液と同一の電解液を含む粘性液体が含浸されている。【００５５】
作用側電極２４における作用側集電体２４Ａ及び非作用側電極４４における非作用側集電体４４Ａは、共に、ＰＥＴ（ポリエチレンテレフタレート）素材に炭素と接着剤とを混ぜたものを印刷してなる印刷電極とされている。【００５６】
なお、印刷電極の材料としては、炭素以外に、金、白金、銀、銅、亜鉛等の導電性の金属を用いても良い。又、印刷によることなく、炭素、金等の導電性素材そのものを集電体としても良い。又、作用側導線１９Ａ、非作用側導線１９Ｂの材料としては、銀、銅等の導電性の金属を用いる。【００５７】
セパレータ２６は、ＰＰ不織布に、薬液保持部３０に保持された薬物と同一の薬物を含有する粘性液体を含浸させたものであり、作用側分極性電極２４Ｂと第２イオン選択性膜２８との間に介在させることによって、両者の通電を防止するものである。【００５８】
第１イオン選択性膜３２は、薬物イオンと同一符号のイオンを選択的に通過させるようにイオン交換基が導入されたイオン交換樹脂を含んで構成されている。【００５９】
第２イオン選択性膜２８は、薬物イオンと反対符号のイオンを選択的に通過させるようにイオン交換基が導入されたイオン交換樹脂を含有して構成されている。ここでは、薬液保持部３０における薬効成分がアニオンの場合は、陽イオン交換樹脂が配合され、又、薬効成分がカチオンの場合は、陰イオン交換樹脂が配合される。【００６０】
第３イオン選択性膜５０は、第２イオン選択性膜２８と同様に、薬物イオンと反対符号のイオンを選択的に通過させるようにイオン交換基が導入されたイオン交換樹脂を含んで構成されている。即ち、第３イオン選択性膜５０は、薬液保持部３０の薬液がカチオンに解離するときは陰イオン交換樹脂を含み、アニオンに解離するときは陽イオン交換樹脂を含んでいる。【００６１】
上記陽イオン交換樹脂としては、ポリスチレン樹脂やアクリル酸系樹脂等の炭化水素系樹脂やパーフルオロカーボン骨格を有するフッ素系樹脂等の３次元的な網目構造を持つ高分子に、スルホン酸基、カルボン酸基、ホスホン酸基等の陽イオン交換基（対イオンが陽イオンである交換基）が導入されたイオン交換樹脂が制限無く使用することができる。【００６２】
又、上記陰イオン交換樹脂としては、陽イオン交換樹脂と同様の３次元的な網目構造を持つ高分子に、１〜３級アミノ基、４級アンモニウム基、ピルジル基、イミダゾール基、４級ピリジウム基、４級イミダゾリウム基等の陽イオン交換基（対イオンが陰イオンである交換基）が導入されたイオン交換樹脂が制限無く使用できる。【００６３】
作用側生体接触部３４は、薬液保持部３０に含浸されているものと同一の粘性液体を、第１イオン選択性膜３２の前面に塗布して構成されている。又、非作用側生体接触部５２は、電解液保持部４８に用いられた電解液と同一の電解液を含有する粘性液体を第３イオン選択性膜５０の前面に塗布して構成されている。なお、これらの塗布された粘性液体の上に、リリースライナー５８を貼り付けることによって、粘性液体が拡がってしまうことを抑制するため、塗布量は各々７ｕＬと少な目にするのが良い。【００６４】
イオントフォレーシス装置１０の組立時には、図１あるいは図４に示される状態で、各構成部材を配置して積層し、あるいは、貫通孔に収納し、リリースライナー５８上に、基端支持体１４、中間支持体１６、先端支持体１８を順次重ねて、これらを粘着層１６Ａ、１４Ａにより粘着して固定し、組立を完了する。【００６５】
直流電源１２としては、ボタン電池、あるいは、例えば特開平１１−０６７２３６号公報、米国特許公開公報２００４／０１８５６６７Ａ１号公報、米国特許第６８５５４４１号公報等に開示される薄型の電池を使用することができ、本実施形態の構造に限定されるものでない。【００６６】
次に本実施形態の効果について説明する。【００６７】
本実施形態に係るイオントフォレーシス装置１０においては、各々１枚のシート状材料からなる中間支持体１６及び先端支持体１８に形成された貫通孔内に、作用側電極構造体及び非作用側電極構造体のそれぞれ一部を構成する薬液保持部や電解液保持部あるいは電極の一部である分極性電極を収納して、且つ、これらを他の膜や部材によって挟み込んで支持すると共に、これら中間支持体１６と先端支持体１８及び基端支持体１４との間に挟み込んで位置決め固定し、作用側電極構造体２０及び非作用側電極構造体４０を一体的に同時に構成することができる。【００６８】
又、イオントフォレーシス装置１０の製造に際しては、先端支持体１８及び中間支持体６に形成された貫通孔とほぼ同一形状の分極性電極、イオン選択性膜、薬液保持部、電解液保持部等を重ねるのみであるので、製造が容易であり、且つ大量生産が可能である。【００６９】
又、このイオントフォレーシス装置１０において、作用側電極２４及び非作用側電極４４は、共に、集電体と分極性電極から構成されているので、従来のイオントフォレーシス装置における通電時の電極反応を生じることがなく、あるいはそのような電極反応を低減させた状態で、電解液や薬物への通電をすることができ、その結果、酸素ガス、塩素ガス又は水素ガス等のガスの発生、あるいは水素イオン、水酸基イオン、次亜塩素酸等の好ましくないイオンの発生を抑止し、あるいは低減させることができる。【００７０】
又、このイオントフォレーシス装置１０において、中間支持体１６の作用側及び非作用側中間貫通孔２１Ａ、４１Ａに、それぞれ作用側分極性電極２４Ｂと非作用側分極性電極４４Ｂを、厚さ方向に圧縮されないように収納しているので、これらが、活性炭繊維層に薬物あるいは電解液を含む粘性液体を含浸させた構成であっても、外力によって圧迫されて、含浸された薬物、電解液が漏出することがない。同様に、作用側先端貫通孔２２Ａに収納された薬液保持部３０の薬物、及び非作用側先端貫通孔４２Ａに収納された電解液保持部４８の電解液が外力によって漏出することが無い。【００７１】
又、この実施形態において、作用側電極２４の一部を構成する作用側集電体２４Ａ及び非作用側電極４４の一部を構成する非作用側集電体４４Ａは炭素印刷電極とされていて、剥がれ易く且つ抵抗が高いという問題点があるが、これら作用側集電体２４Ａ及び非作用側集電体４４Ａから、作用側導線１９Ａ及び非作用側導線１９Ｂへの接続部が、図３に示されるようにテーパ面２５、４５とされ、且つ、これら作用側導線１９Ａ及び非作用側導線１９Ｂがそれぞれ、例えば銀等の金属から構成されているので、樹脂シート３６から剥がれ難く、且つ抵抗が低く、又樹脂シート３６を湾曲させてもよいという利点がある。【００７２】
中間支持体１６に対して、基端支持体１４は、絶縁フィルム１９Ｄの部分では粘着しないので、これらの間に分極性電極に含浸された薬物又は電解液が浸入することによって作用側電極２４と非作用側電極４４が導通してしまう可能性があるが、この実施形態においては、接着剤５６によって、作用側集電体２４Ａと非作用側集電体４４Ａの間の位置で、絶縁フィルム１９Ｄを中間支持体１６の図において上面に接着させて、作用側電極２４と非作用側電極４４との間を隔絶して、両者の導通を防止している。【００７３】
又、上記作用側電極構造体２０において、セパレータ２６が設けられているが、これは、作用側分極性電極２４Ｂと第２イオン選択性膜２８との直接的な導電を防止するためのものであり、薬液を含んだ粘性液体を含侵させたＰＰ不織布で構成する。これにより、第２イオン選択性膜２８には印加されず、第２イオン選択性膜２８の電気的特性を変化させることを防止する。もちろん、他の手段によって直接的導電を防止できる場合はこれは不要である。【００７４】
非作用側電極構造体４０におけるセパレータ４６も、ＰＰ不織布に電解液を含んだ粘性液体を含侵させたものであり、作用効果もセパレータ２６のそれと同じである。【００７５】
また、セパレータ４６と電解液保持部４８はともに、ＰＰ不織布に、電解液を含む粘性液体を含浸させた構成において共通であるので、一体的に構成しても良い。【００７６】
ここで、電解液保持層４８には通常、非作用側電極４４と肌との導電性を保持するため電解液を含ませるが、この電解液の代わりに薬物イオンを有する粘性液体を含ませ、非作用側電極構造体４０から薬物イオンを投与することもできる。【００７７】
又、作用側生体接触部３４及び非作用側生体接触部５２は、第１イオン選択性膜３２及び第３イオン選択性膜５０のそれぞれが、生体の皮膚や粘膜に十分に接触することができるものであれば必ずしも設ける必要は無い。【００７８】
更に、上記実施形態において、作用側電極構造体及び非作用側電極構造体は、先端支持体、中間支持体及び基端支持体に形成された貫通孔に薬液保持部を配置したり、又、これらの支持体の間に膜を挟持したりする構成であるが、本発明はこれに限定されるものでなく、先端支持体、中間支持体、基端支持体を用いることなく、例えば、ケース状のバッキング材の中に、薬液保持部、電解液保持部、イオン選択性膜などを重ねて配置するようにした構成であってもよい。【００７９】
更に又、作用側及び非作用側電極、薬液保持部、イオン選択性膜、第１〜第４貫通孔は円形とされているが、本発明はこれに限定されるものでなく、４角形、あるいは６角形等の形状であってもよい。【００８０】
又、作用側及び非作用側導線１９Ａ、１９Ｂの樹脂シート３６と反対側面が絶縁フィルム１９Ｄによって覆われているが、本発明はこれに限定されるものでなく、絶縁フィルム１９Ｄを設けない場合にも適用されるものである。この場合、接着剤５６は、樹脂フィルム３６と中間支持体１６とを接着させるものとなる。要するに、接着剤５６は、樹脂フィルム３６側の部材と中間支持体１６とを接着させるものであればよい。【００８１】
次に、本発明による電極の構成の第２実施形態を説明する。【００８２】
本実施形態は、図７に示す如く、繊維状担体に、例えばめっきにより、銀又は塩化銀の被覆７１を設けたものである。【００８３】
本実施形態においては、繊維状担体を安価な物とすることにより、銀や塩化銀の使用量を減らして、電極を安価に構成できる。【００８４】
次に、本発明による電極の構成の第３実施形態を説明する。【００８５】
本実施形態は、図８に示す如く、繊維状担体に、銀又は塩化銀のナノ粒子７２を付着させたものである。【００８６】
本実施形態においても、繊維状担体を安価な物とすることにより、銀や塩化銀の使用量を減らして、電極を安価に構成できる。【００８７】
次に、本発明による電極の構成の第４実施形態を説明する。【００８８】
本実施形態は、図９に示す如く、網７４状の銀又は塩化銀や、網状担体に、銀又は塩化銀を被覆したものである。【００８９】
本実施形態においては、繊維の代りに網を用いたので、耐久性が高い。【００９０】
次に、本発明による電極の構成の第５実施形態を説明する。【００９１】
本実施形態は、図１０に示す如く、網状担体に、銀又は塩化銀のナノ粒子７２を付着させたものである。【００９２】
本実施形態においては、網状担体を安価な物とすることにより、銀や塩化銀の使用量を減らして、電極を安価に構成できる。【００９３】
次に、本発明による電極の構成の第６実施形態を説明する。【００９４】
本実施形態は、図１１に示す如く、シート７６状担体又はバルク状担体に、極細繊維７０状の銀又は塩化銀を付着させたものである。なお、シート状担体又はバルク状担体は、必要に応じて、皮膚と反対側（図１、４、５の上側）に配置する。【００９５】
本実施形態においては、シート状担体又はバルク状担体を安価な物とすることにより、銀や塩化銀の使用量を減らして、電極を安価に構成できる。【００９６】
次に、本発明による電極の構成の第７実施形態を説明する。【００９７】
本実施形態は、図１２に示す如く、シート７６状担体又はバルク状担体に、銀又は塩化銀のナノ粒子７２を付着させたものである。なお、シート状担体又はバルク状担体は、必要に応じて、皮膚と反対側（図１、４、５の上側）に配置する。【００９８】
本実施形態においても、シート状担体又はバルク状担体を安価な物とすることにより、銀や塩化銀の使用量を減らして、電極を安価に構成できる。【００９９】
次に、本発明による電極の構成の第８実施形態を説明する。【０１００】
本実施形態は、図１３に示す如く、シート７６状担体又はバルク状担体に、繊維７０状担体を組合せ、更に、銀又は塩化銀のナノ粒子７２を付着させたものである。なお、シート状担体又はバルク状担体は、必要に応じて、皮膚と反対側（図１、４、５の上側）に配置する。【０１０１】
本実施形態においても、シート状担体又はバルク状担体を安価な物とすることにより、銀や塩化銀の使用量を減らして、電極を安価に構成できる。【０１０２】
なお、前記実施形態においては、いずれも金属として銀が用いられていたが、金属の種類は銀に限定されない。【０１０３】
又、上記イオントフォレーシス装置１０は、作用側電極２４及び非作用側電極４４が共に本発明による電極とされているが、いずれか一方を、炭素印刷電極と活性炭層を組合せたキャパシタ電極としても良い。
【産業上の利用の可能性】
【０１０４】
本発明は、薬物イオンを、電圧を印加することによって生体に投与するためのイオントフォレーシス装置、特に、長時間使用可能なイオントフォレーシス装置として利用できる。
【図１】
2007111368.tif 000003
【図２】
2007111368.tif 000004
【図３】
2007111368.tif 000005
【図４】
2007111368.tif 000006
【図５】
2007111368.tif 000007
【図６】
2007111368.tif 000008
【図７】
2007111368.tif 000009
【図８】
2007111368.tif 000010
【図９】
2007111368.tif 000011
【図１０】
2007111368.tif 000012
【図１１】
2007111368.tif 000013
【図１２】
2007111368.tif 000014
【図１３】
2007111368.tif 000015
【国際調査報告】
2007111368.tif 000016
2007111368.tif 000017
2007111368.tif 000018
2007111368.tif 000019